(57)【要約】【課題】快適性および省エネルギー性に優れた換気装置のコントローラを提供する。【解決手段】コントローラ１０は、取得部１２と、演算部１３と、判定部１４と、を備える。取得部１２は、外気温度ＯＴ、室内温度ＩＴ、および空調機２の設定温度ＳＰの情報を取得する。演算部１３は、外気冷房または外気暖房を行った場合の空調機消費電力削減量ΔＡＥと、換気装置３が消費する換気装置消費電力量ΔＶＥと、を算出する。判定部１４は、外気温度ＯＴ、室内温度ＩＴおよび設定温度ＳＰが所定の条件を満たした場合において、空調機消費電力削減量ΔＡＥが換気装置消費電力量ΔＶＥよりも大きいときに、外気冷房または外気暖房を行うと判断する。【選択図】図８
2014070827.tif 000002
【特許請求の範囲】
【請求項１】
外気（ＯＡ）を導入する外気導入動作を行うことによって、空調機（２）と共に対象空間（ＳＩ）の熱負荷処理を行う換気装置（３）のコントローラ（１０）であって、
外気温度（ＯＴ）、前記対象空間の対象空間温度（ＩＴ）、および前記空調機の設定温度（ＳＰ）の情報を取得する、情報取得部（１２）と、
前記外気導入動作を行うことによって削減される前記空調機の消費エネルギー量である空調機消費エネルギー削減量（ΔＡＥ）と、前記換気装置が消費する換気装置消費エネルギー量（ΔＶＥ）と、を算出するエネルギー量算出部（１３）と、
前記外気温度、前記対象空間温度および前記設定温度が所定の条件を満たした場合において、前記空調機消費エネルギー削減量が前記換気装置消費エネルギー量よりも大きいときに、前記外気導入動作を行うと判断する、外気導入判断部（１４）と、
を備える、
換気装置のコントローラ。
【請求項２】
前記情報取得部は、外気湿度（ＯＸ）および前記対象空間の対象空間湿度（ＩＸ）の情報をさらに取得し、
前記外気導入判断部は、前記外気温度、前記対象空間温度、前記設定温度、前記外気湿度および前記対象空間湿度が所定の条件を満たした場合において、前記空調機消費エネルギー削減量が前記換気装置消費エネルギー量よりも大きいときに、前記外気導入動作を行うと判断する、
請求項１に記載の換気装置のコントローラ。
【請求項３】
外気（ＯＡ）を導入する外気導入動作によって、空調機（２）と共に対象空間（ＳＩ）の熱負荷処理を行う換気装置（３）のコントローラ（１０）であって、
外気温度（ＯＴ）と、前記対象空間の対象空間温度（ＩＴ）と、前記空調機の設定温度（ＳＰ）と、前記外気導入動作を行うことによって削減される前記空調機の消費エネルギー量である空調機消費エネルギー削減量（ΔＡＥ）および前記換気装置が消費する換気装置消費エネルギー量（ΔＶＥ）に基づいて設定される補正値（ΔＴ）の情報を取得する、情報取得部（１２）と、
前記外気温度に前記補正値を加えた値、前記対象空間温度および前記設定温度が所定の条件を満たした場合に、前記外気導入動作を行うと判断する、外気導入判断部（１４）と、
を備える、
換気装置のコントローラ。
【請求項４】
外気（ＯＡ）を導入する外気導入動作によって、空調機（２）と共に対象空間（ＳＩ）の熱負荷処理を行う換気装置（３）のコントローラ（１０）であって、
外気温度（ＯＴ）、前記対象空間の対象空間温度（ＩＴ）、および前記空調機の設定温度（ＳＰ）の情報を取得する、情報取得部（１２）と、
前記外気導入動作を行うことによって削減される前記空調機の消費エネルギー量である空調機消費エネルギー削減量（ΔＡＥ）と、前記換気装置が消費する換気装置消費エネルギー量（ΔＶＥ）と、を算出するエネルギー量算出部（１３）と、
前記外気温度、前記対象空間温度、前記空調機消費エネルギー削減量および前記換気装置消費エネルギー量に基づいて補正値（ΔＴ）を設定する補正値設定部（１３）と、
前記外気温度に前記補正値を加えた値、前記対象空間温度および前記設定温度が所定の条件を満たした場合に、前記外気導入動作を行うと判断する、外気導入判断部（１４）と、
を備える、
換気装置のコントローラ。
【請求項５】
前記情報取得部は、外気湿度（ＯＸ）および前記対象空間の対象空間湿度（ＩＸ）の情報をさらに取得し、
前記補正値設定部は、前記外気温度、前記対象空間温度、前記外気湿度、前記対象空間湿度、前記空調機消費エネルギー削減量および前記換気装置消費エネルギー量に基づいて前記補正値を設定する、
請求項４に記載の換気装置のコントローラ。
【請求項６】
前記対象空間の熱負荷（ＰＦＣ）を算出する、熱負荷算出部（１３）をさらに備え、
前記情報取得部は、前記空調機のエネルギー消費効率の情報をさらに取得し、
前記エネルギー量算出部は、前記熱負荷および前記エネルギー消費効率に基づいて前記空調機消費エネルギー削減量を算出する、
請求項１、２、４および５のいずれかに記載の換気装置のコントローラ。
【請求項７】
前記情報取得部は、前記換気装置の換気風量（Ｑ）、前記対象空間の空気（ＩＡ）の比重（ρ）および前記空調機のエネルギー消費効率の情報をさらに取得し、
前記外気温度、前記対象空間温度、前記外気湿度および前記対象空間湿度に基づいて、前記外気と前記対象空間の空気との比エンタルピー差（Δｈ）を算出する、比エンタルピー差算出部と、
前記比エンタルピー差、前記換気風量および前記対象空間の空気の比重に基づいて前記対象空間の熱負荷（ＰＦＣ）を算出する、熱負荷算出部と、
をさらに備え、
前記エネルギー量算出部は、前記熱負荷および前記エネルギー消費効率に基づいて前記空調機消費エネルギー削減量を算出する、
請求項２および５のいずれかに記載の換気装置のコントローラ。
【発明の詳細な説明】
【技術分野】
【０００１】
本発明は、換気装置のコントローラに関する。
【背景技術】
【０００２】
従来、所定条件を満たすことを契機として外気を対象空間に導入する外気導入動作によって対象空間の熱負荷処理を行い、対象空間に設置された空調機の消費エネルギーを削減して、快適性および省エネルギー性の向上を図った換気装置のコントローラが知られている。例えば、特許文献１（特開平９−１７８２４２号公報）では、室内外の温度と空調機の設定温度とが所定条件を満たした場合に、外気導入動作を行うように制御する換気装置のコントローラが提案されている。また特許文献２（特開２０１１−２１８８１号公報）では、室内外の温度または湿度と、空調機の設定温度または湿度と、が所定条件を満たした場合に、外気導入動作を行うように制御する換気装置のコントローラが提案されている。
【発明の概要】
【発明が解決しようとする課題】
【０００３】
しかし、従来の換気装置のコントローラにおいては、外気導入動作時における換気装置の消費エネルギー量が、外気導入動作により削減される空調機の消費エネルギー量よりも大きくなり、かえって省エネルギーとはならないケースが考えられる。
【０００４】
そこで本発明の課題は、快適性および省エネルギー性に優れた換気装置のコントローラを提供することである。
【課題を解決するための手段】
【０００５】
本発明の第１観点に係る換気装置のコントローラは、外気を導入する外気導入動作を行うことによって、空調機と共に対象空間の熱負荷処理を行う換気装置のコントローラであって、情報取得部と、エネルギー量算出部と、外気導入判断部と、を備える。情報取得部は、外気温度、対象空間の対象空間温度、および空調機の設定温度の情報を取得する。エネルギー量算出部は、外気導入動作を行うことによって削減される空調機の消費エネルギー量である空調機消費エネルギー削減量と、換気装置が消費する換気装置消費エネルギー量と、を算出する。外気導入判断部は、外気温度、対象空間温度および設定温度が所定の条件を満たした場合において、空調機消費エネルギー削減量が換気装置消費エネルギー量よりも大きいときに、外気導入動作を行うと判断する。
【０００６】
本発明の第１観点に係る換気装置のコントローラでは、外気導入判断部は、外気温度、対象空間温度および設定温度が所定の条件を満たした場合において、空調機消費エネルギー削減量が換気装置消費エネルギー量よりも大きいときに、外気導入動作を行うと判断する。これにより、外気導入動作時における換気装置消費エネルギー量が空調機消費エネルギー削減量よりも大きくなることを抑制できる。したがって、快適性を確保しつつ省エネルギー性を向上できる。
【０００７】
なお、消費エネルギー量とは消費されるエネルギー量である。また、エネルギーとは、例えば電気であり、エネルギー量とは、例えばワット等の単位で表される電力、又はワット時等の単位で表される電力量である。
【０００８】
本発明の第２観点に係る換気装置のコントローラは、第１観点に係る換気装置のコントローラであって、情報取得部は、外気湿度および対象空間の対象空間湿度の情報をさらに取得する。外気導入判断部は、外気温度、対象空間温度、設定温度、外気湿度および対象空間湿度が所定の条件を満たした場合において、空調機消費エネルギー削減量が換気装置消費エネルギー量よりも大きいときに、外気導入動作を行うと判断する。
【０００９】
本発明の第２観点に係る換気装置のコントローラでは、外気導入判断部は、外気温度、対象空間温度、設定温度、外気湿度および対象空間湿度が所定の条件を満たした場合において、空調機消費エネルギー削減量が換気装置消費エネルギー量よりも大きいときに、外気導入動作を行うと判断する。これにより、さらに精度よく外気導入を行うか動かを判断することができる。よって、外気導入動作時における換気装置消費エネルギー量が空調機消費エネルギー削減量よりも大きくなることをさらに抑制できる。
【００１０】
本発明の第３観点に係る換気装置のコントローラは、外気を導入する外気導入動作によって、空調機と共に対象空間の熱負荷処理を行う換気装置のコントローラであって、情報取得部と、外気導入判断部と、を備える。情報取得部は、外気温度と、対象空間の対象空間温度と、空調機の設定温度と、外気導入動作を行うことによって削減される空調機の消費エネルギー量である空調機消費エネルギー削減量および換気装置が消費する換気装置消費エネルギー量に基づいて設定される補正値の情報を取得する。外気導入判断部は、外気温度に補正値を加えた値、対象空間温度および設定温度が所定の条件を満たした場合に、外気導入動作を行うと判断する。
【００１１】
本発明の第３観点に係る換気装置のコントローラでは、外気導入判断部は、外気温度に空調機消費エネルギー削減量および換気装置消費エネルギー量に基づいて設定される補正値を加えた値と、対象空間温度と、設定温度と、が所定の条件を満たした場合に、外気導入動作を行うと判断する。これにより、外気導入動作時における換気装置消費エネルギー量が空調機消費エネルギー削減量よりも大きくなることを抑制できる。したがって、快適性を確保しつつ省エネルギー性を向上できる。
【００１２】
本発明の第４観点に係る換気装置のコントローラは、外気を導入する外気導入動作によって、空調機と共に対象空間の熱負荷処理を行う換気装置のコントローラであって、情報取得部と、エネルギー量算出部と、補正値設定部と、外気導入判断部と、を備える。情報取得部は、外気温度、対象空間の対象空間温度、および空調機の設定温度の情報を取得する。エネルギー量算出部は、外気導入動作を行うことによって削減される空調機の消費エネルギー量である空調機消費エネルギー削減量と、換気装置が消費する換気装置消費エネルギー量と、を算出する。補正値設定部は、外気温度、対象空間温度、空調機消費エネルギー削減量および換気装置消費エネルギー量に基づいて補正値を設定する。外気導入判断部は、外気温度に補正値を加えた値、対象空間温度および設定温度が所定の条件を満たした場合に、外気導入動作を行うと判断する。
【００１３】
本発明の第４観点に係る換気装置のコントローラでは、補正値設定部は、外気温度、対象空間温度、空調機消費エネルギー削減量および換気装置消費エネルギー量に基づいて補正値を設定し、外気導入判断部は、外気温度に補正値を加えた値、対象空間温度および設定温度が所定の条件を満たした場合に、外気導入動作を行うと判断する。これにより、外気導入動作時における換気装置消費エネルギー量が空調機消費エネルギー削減量よりも大きくなることを抑制できる。したがって、快適性を確保しつつ省エネルギー性を向上できる。
【００１４】
本発明の第５観点に係る換気装置のコントローラは、第４観点に係る換気装置のコントローラであって、情報取得部は、外気湿度および対象空間の対象空間湿度の情報をさらに取得する。補正値設定部は、外気温度、対象空間温度、外気湿度、対象空間湿度、空調機消費エネルギー削減量および換気装置消費エネルギー量に基づいて補正値を設定する。
【００１５】
本発明の第５観点に係る換気装置のコントローラでは、補正値設定部は、外気温度、対象空間温度、外気湿度、対象空間湿度、空調機消費エネルギー削減量および換気装置消費エネルギー量に基づいて補正値を設定する。これにより、さらに精度よく補正値を設定することができる。よって、外気導入動作時における換気装置消費エネルギー量が空調機消費エネルギー削減量よりも大きくなることをさらに抑制できる。
【００１６】
本発明の第６観点に係る換気装置のコントローラは、第１、第２、第４及び第５観点のいずれかに係る換気装置のコントローラであって、対象空間の熱負荷を算出する熱負荷算出部をさらに備える。情報取得部は、空調機のエネルギー消費効率の情報をさらに取得する。エネルギー量算出部は、熱負荷および空調機のエネルギー消費効率に基づいて空調機消費エネルギー削減量を算出する。
【００１７】
本発明の第６観点に係る換気装置のコントローラでは、エネルギー量算出部は、熱負荷および空調機のエネルギー消費効率に基づいて空調機消費エネルギー削減量を算出する。これにより、さらに精度よく空調機消費エネルギー削減量を算出できる。
【００１８】
なお、エネルギー消費効率とは、機器の能力を消費エネルギー量で除した値である。また、機器の能力とは、例えば空調機の熱負荷処理能力であり、ワット等の単位で表される。また、消費エネルギー量とは、例えば圧縮機の消費電力量であり、ワット等の単位で表される。
【００１９】
本発明の第７観点に係る換気装置のコントローラは、第２及び第５観点のいずれかに係る換気装置のコントローラであって、情報取得部は、換気装置の換気風量、対象空間の空気の比重および空調機のエネルギー消費効率の情報をさらに取得し、比エンタルピー差算出部と、熱負荷算出部と、をさらに備える。比エンタルピー差算出部は、外気温度、対象空間温度、外気湿度および対象空間湿度に基づいて、外気と対象空間の空気との比エンタルピー差を算出する。熱負荷算出部は、比エンタルピー差、換気風量および対象空間の空気の比重に基づいて対象空間の熱負荷を算出する。エネルギー量算出部は、熱負荷および空調機のエネルギー消費効率に基づいて空調機消費エネルギー削減量を算出する。
【００２０】
本発明の第７観点に係る換気装置のコントローラでは、エネルギー量算出部は、外気と対象空間の空気との比エンタルピー差等に基づいて算出された熱負荷と、空調機のエネルギー消費効率と、に基づいて空調機消費エネルギー削減量を算出する。これにより、さらに精度よく空調機消費エネルギー削減量を算出できる。
【発明の効果】
【００２１】
本発明の第１観点から第７観点に係る換気装置のコントローラでは、外気導入動作時における換気装置消費エネルギー量が空調機消費エネルギー削減量よりも大きくなることを抑制でき、快適性を確保しつつ省エネルギー性を向上できる。
【図面の簡単な説明】
【００２２】
【図１】本発明の一実施形態に係る換気装置のコントローラを使用した空調システムの全体構成図。
【図２】熱交換換気を行う場合の換気装置の概略構成を示す模式図。
【図３】普通換気を行う場合の換気装置の概略構成を示す模式図。
【図４】全熱交換器の概略構成図。
【図５】本発明の一実施形態に係る換気装置のコントローラの概略構成図。
【図６】外気冷房の可否を判定するテーブルの概念図。
【図７】外気暖房の可否を判定するテーブルの概念図。
【図８】外気冷房モード時におけるコントローラの処理の流れを示すフローチャート。
【図９】外気暖房モード時におけるコントローラの処理の流れを示すフローチャート。
【発明を実施するための形態】
【００２３】
以下、図面を参照しながら、本発明の実施形態について説明する。なお、以下の実施形態は、本発明の具体例であって、本発明の技術的範囲を限定するものではない。
【００２４】
（１）空調システム１
図１は、空調システム１の全体構成図である。空調システム１は、空調機２と、換気装置３と、を両方同時にあるいはいずれか一方を単独で運転させ、省エネルギー性を確保しつつ室内空間ＳＩの快適な空気調和を実現するシステムである。空調システム１は、主として、空調機２と、換気装置３と、温度センサ４と、湿度センサ５と、これらの機器と通信線１０ａを介して接続されたコントローラ１０と、から構成される。
【００２５】
（１−１）空調機２
空調機２は、室内温度ＩＴがユーザーによって設定される設定温度ＳＰに達するように冷凍サイクルによって室内空間ＳＩの熱負荷処理を行う装置である。空調機２は、冷房モード、暖房モード、待機モード等の運転モードを有し、ユーザーからの指示またはコントローラ１０の制御に基づいて運転モードが選択される。具体的には、空調機２は、冷房モード時には室内空間ＳＩの室内空気ＩＡを冷却し、暖房モード時には室内空気ＩＡを加熱する。また、待機モード時においては電力消費を抑える待機状態となり、運転を休止する。
【００２６】
空調機２は、主として、室内機２１と室外機２２とから構成される。室内機２１は、室内空間ＳＩの天井付近の内壁に取付けられ、室内ファンや室内熱交換器等を有している（図示省略）。室外機２２は、室外空間ＳＯに設置され、室外ファン、室外熱交換器および圧縮機等を有している（図示省略）。室内機２１と室外機２２とは、冷媒配管２３を介して接続されており、冷媒回路を形成している。
【００２７】
室内機２１および室外機２２の内部には、空調機電装品ユニット（図示省略）がそれぞれ配設されている。空調機電装品ユニットは、通信線１０ａ等を介してコントローラ１０およびリモコン等の入力装置（図示省略）と接続されており、コントローラ１０から送信される制御信号や、入力装置を介してユーザーが入力する信号等に基づいて室内機２１または室外機２２の運転を制御している。
【００２８】
（１−２）換気装置３
以下、図２から図４を参照して換気装置３について説明する。図２は、熱交換換気を行う場合の換気装置３の概略構成を示す模式図である。図３は、普通換気を行う場合の換気装置３の概略構成を示す模式図である。図４は、換気装置３の全熱交換器３１の概略構成図である。
【００２９】
換気装置３は、室内空間ＳＩの換気を行う装置である。換気装置３は、全熱交換器３１を用いる熱交換換気モードおよび全熱交換器３１を用いない普通換気モード等の運転モードを有し、空調機２と連動してまたは単独で稼動する。通常、換気装置３は、空調機２が冷房モードまたは暖房モードで運転している時には熱交換換気モードで運転し、空調機２が待機モード時には普通換気モードで運転するように設定されている。なお、運転モードの切り替えはこれに限定されず、ユーザーが入力装置（図示省略）を介して任意に切り替えることも可能である。
【００３０】
換気装置３は、室内空間ＳＩにおいて、天井裏や壁に設置され、略直方体の箱形状を有するケーシング３０によりその外郭を構成している（図２および図３を参照）。ケーシング３０には、室外空間ＳＯの空気を外気ＯＡとしてケーシング３０内に導入するための導入口３０ａと、外気ＯＡを給気ＳＡとして室内に供給する給気口３０ｂと、室内空間ＳＩの室内空気（還気）ＩＡを室内からケーシング３０内に取り込むための還気口３０ｃと、室内空気（還気）ＩＡを外部に排気ＥＡとして排出するための排気口３０ｄとが形成されている（図２および図３を参照）。また、ケーシング３０内には、導入口３０ａと給気口３０ｂとを連通する給気流路３７と、還気口３０ｃと排気口３０ｄとを連通する第１排気流路３８ａ（図２を参照）および第２排気流路３８ｂ（図３を参照、以下、第１排気流路３８ａと第２排気流路３８ｂとを併せて排気流路３８と呼ぶ）と、が形成されている。
【００３１】
ケーシング３０内には、主として、全熱交換器３１と、給気ファン３２と、排気ファン３３と、ダンパ３４と、換気装置電装品ユニット（図示省略）と、が配設されている。
【００３２】
（１−２−１）全熱交換器３１
全熱交換器３１は、給気流路３７および第１排気流路３８ａに貫通されるようにケーシング３０内の中央部に配設されており（図２を参照）、換気装置３が熱交換換気モードで運転する場合に外気ＯＡと排気ＥＡとの間で熱交換を行う。全熱交換器３１は、主として、複数の全熱交換素子３１１と、複数の波板部材３１２とを有している（図４を参照）。
【００３３】
全熱交換素子３１１は、紙などの伝熱製および透湿性を有する平板状の部材であり、上下方向に所定の間隔を空けて多数積層されている。
【００３４】
波板部材３１２は、波板状の部材であり、全熱交換素子３１１の積層方向に全熱交換素子３１１と交互に配設されている。波板部材３１２は、その上下端に全熱交換素子３１１が接触することによって外気ＯＡが流れる第１空気流路３１３ａを形成する第１波板部材３１３と、その上下端に全熱交換素子３１１が接触することによって排気ＥＡが流れる第２空気流路３１４ａを形成する第２波板部材３１４と、を有している。そして、第１波板部材３１３と第２波板部材３１４とは、全熱交換素子３１１を挟んで、全熱交換素子３１１の積層方向に交互に配置されている。また、第１波板部材３１３と、第２波板部材３１４とは、第１空気流路３１３ａと、第２空気流路３１４ａとが互いに直交するように配置されている。よって、第１空気流路３１３ａを流れる外気ＯＡと、第２空気流路３１４ａを流れる排気ＥＡとは、互いに混じり合うことなく熱交換することができるようになっている。なお、第１空気流路３１３ａは、給気流路３７の一部を構成しており、第２空気流路３１４ａは、第１排気流路３８ａの一部を構成している。
【００３５】
（１−２−２）給気ファン３２、排気ファン３３
給気ファン３２は、外部空間ＳＯから給気流路３７を通って室内空間ＳＩに向かう空気流を生成するためのファンであり、給気流路３７の下流端近傍に配置されている（図２および図３を参照）。排気ファン３３は、室内空間ＳＩから排気流路３８を通って外部空間ＳＯに向かう空気流を生成するためのファンであり、排気流路３８の下流端近傍に配置されている（図２および図３を参照）。
【００３６】
給気ファン３２および排気ファン３３は、給気ファンモータ３２ａまたは排気ファンモータ３３ａが稼動することにより回転する。なお、給気ファンモータ３２ａおよび排気ファンモータ３３ａは、換気装置電装品ユニットにより制御されており、インバータ制御によって回転速度を段階的に切り替えることで給気ファン３２および排気ファン３３の設定風量Ｑを調整できるようになっている。
【００３７】
（１−２−３）ダンパ３４
ケーシング３０内の還気口３０ｃ近傍には、ダンパ３４が配設されており、ダンパ３４が開閉することにより、第１排気流路３８ａと第２排気流路３８ｂとが切り替わるようになっている（図２および図３を参照）。具体的に、ダンパ３４が開いている状態においては、全熱交換器３１を貫通している第１排気流路３８ａが開通し（図２を参照）、ダンパ３４が閉じている状態においては、全熱交換器３１を外れている第２排気流路３８ｂが開通する（図３を参照）。すなわち、換気装置３は、ダンパ３４の開閉によって熱交換換気（外気ＯＡと排気ＥＡとを熱交換させる換気）と普通換気（外気ＯＡと排気ＥＡとを熱交換させない換気）とを切り替えることができ、熱交換換気モードにおいてはダンパ３４を開いて熱交換換気を行い、普通換気モードにおいてはダンパ３４を閉じて普通換気を行っている。なお、ダンパ３４の開閉は、ダンパ駆動モータ（図示せず）が稼働することにより行われ、ダンパ駆動モータは、換気装置電装品ユニットによって制御されている。
【００３８】
（１−３）温度センサ４、湿度センサ５
温度センサ４は、外気温度ＯＴを検出する室外温度センサ４ａと、室内温度ＩＴを検出する室内温度センサ４ｂと、から構成されている。また、湿度センサ５は、外気湿度ＯＸを検出する室外湿度センサ５ａと、室内湿度ＩＸを検出する室内湿度センサ５ｂとから構成されている。室外温度センサ４ａおよび室外湿度センサ５ａは、室外空間ＳＯに設置されており、室内温度センサ４ｂおよび室内湿度センサ５ｂは、室内空間ＳＩに設置されている（図１を参照）。温度センサ４および湿度センサ５は、それぞれ通信部（図示せず）を有しており、通信線１０ａを介して接続されたコントローラ１０へ、外気温度ＯＴ、室内温度ＩＴ、外気湿度ＯＸおよび室内湿度ＩＸの情報を適宜送信している。なお、温度センサ４は、必ずしも室内空間ＳＩまたは室外空間ＳＯに配設しなくてもよく、換気装置３に内臓されていてもよい。
【００３９】
（１−４）コントローラ１０
以下、図１および図５から図７を参照してコントローラ１０について説明する。図５は、コントローラ１０の概略的構成を示した図である。図６は、外気冷房の可否を判定するテーブルの概念図である。図７は、外気暖房の可否を判定するテーブルの概念図である。なお、外気冷房または外気暖房とは、外気ＯＡを室内空間ＳＩに導入することにより、室内空間ＳＩの冷房または暖房を行うことである。
【００４０】
コントローラ１０は、ＣＰＵ及びメモリなどからなるマイクロコンピュータ等で構成されており、室内空間ＳＩに設けられている。コントローラ１０は、通信線１０ａを介して空調機２、換気装置３、温度センサ４ａ，４ｂおよび湿度センサ５ａ，５ｂと接続されており、これらの機器と情報の送受信を行っている。
【００４１】
コントローラ１０は、外気冷房モード、外気暖房モード等の制御モードを有しており、各制御モードに応じて空調機２および換気装置３の制御を行っている。具体的に、外気冷房モードは空調機２が冷房モードで運転している場合に選択され、外気暖房モードは空調機２が暖房モードで運転している場合に選択される。コントローラ１０は、外気冷房モードまたは外気暖房モードが選択された場合には、所定条件を満たすことを契機として、空調機２を冷房モードまたは暖房モードから待機モードへ切り替えるとともに換気装置３を熱交換換気モードから普通換気モードへ切り替え、所定条件を満たさなくなることを契機として、空調機２を待機モードから冷房モードまたは暖房モードへ切り替えるとともに換気装置３を普通換気モードから熱交換換気モードへ切り替える制御を行っている。
【００４２】
コントローラ１０は、インターフェース１１、取得部１２、演算部１３、判定部１４、制御部１５および表示部１６を有している（図５を参照）。
【００４３】
（１−４−１）取得部１２
取得部１２は、インターフェース１１を介して、空調機２、換気装置３、温度センサ４および湿度センサ５等から送信される情報を受信して保持している。具体的に、取得部１２は、空調機２および換気装置３からは運転状態情報（電源ＯＮ／ＯＦＦ、運転モード、設定温度ＳＰおよび設定風量Ｑ等の情報）を受信し、温度センサ４からは外気温度ＯＴおよび室内温度ＩＴの情報を受信し、湿度センサ５からは外気湿度ＯＸおよび室内湿度ＩＸの情報を受信し、所定の記憶領域においてそれぞれを保持している。また、取得部１２は、統計や想定等に基づいて予め設定された空調機２のＣＯＰおよび室内空気ＩＡの比重ρの情報を、所定の記憶領域においてそれぞれ保持している。取得部１２は、保持している上記各情報を演算部１３または判定部１４へと適宜出力する。
【００４４】
（１−４−２）演算部１３
演算部１３は、取得部１２から出力された情報と所定の記憶領域に予め保持している式とに基づいて各種の数値を算出している。具体的には、演算部１３は、外気温度ＯＴと、室内温度ＩＴと、外気湿度ＯＸと、室内湿度ＩＸと、外気ＯＡと室内空気ＩＡの比エンタルピー差Δｈ［ｋＪ／ｋｇ］と、換気装置３の設定風量Ｑ［ｍ３／ｈ］と、室内空気ＩＡの比重ρ［ｋｇ／ｍ３］と、室内空間ＳＩの熱負荷ＰＦＣと、空調機２のＣＯＰと、空調機２を冷房モードまたは暖房モードから待機モードへ切り替えることにより削減される空調機消費電力削減量ΔＡＥと、設定風量Ｑに応じて設定された演算部１３に予め保持されている換気装置消費電力量ΔＶＥと、に基づいて補正値ΔＴを算出する。ここで、補正値ΔＴは、具体的には１から４［℃］の間で算出されることを想定しているが、当該数値範囲には限定されず、これと異なる数値であってもよい。
【００４５】
そして、補正値ΔＴおよび外気温度ＯＴに基づいて基準値ＳＶをそれぞれ算出している。なお、基準値ＳＶは、後述する判定部１４が外気冷房または外気暖房を行うか否かを判定する際に参照される値である。
【００４６】
より詳細には、補正値ΔＴは、以下の式Ａに基づいて算出され、基準値ＳＶは以下の式Ｂに基づいて算出される。
ΔＴ＞｛ΔＶＥ−（０．２７７８×Ｑ×ρ／ＣＯＰ）×（２５０１＋１．８０５ＯＴ）×（ＩＸ−ＯＸ）｝／｛（０．２７７８×Ｑ×ρ／ＣＯＰ）×（１．００６＋１．８０５ＩＸ）｝・・・（式Ａ）
ＳＶ＝ＯＴ＋ΔＴ・・・（式Ｂ）
そして算出された基準値ＳＶは、適宜判定部１４へと送信される。
【００４７】
なお、上記式Ａは、以下の考えから導かれるものである。
ΔＡＥ−ΔＶＥ＞０
を条件として、
ΔＡＥ＝ＰＦＣ／ＣＯＰ
であることから、
ＰＦＣ／ＣＯＰ−ΔＶＥ＞０
となり、
ＰＦＣ＝０．２７７８×Δｈ×Ｑ×ρ
であることから、
０．２７７８×Δｈ×Ｑ×ρ／ＣＯＰ−ΔＶＥ＞０・・・（式Ｃ）
が導かれる。ここで、
ΔＴ＝ＩＴ−ＯＴ
とすると、
ＩＴ＝ＯＴ＋ΔＴ
であることから、
Δｈ＝１．００６（ＯＴ＋ΔＴ）＋｛２５０１＋１．８０５（ＯＴ＋ΔＴ）｝ＩＸ−｛１．００６ＯＴ＋（２５０１＋１．８０５ＯＴ）ＯＸ｝
となり、これを展開すると、
Δｈ＝（１．００６＋１．８０５ＩＸ）ΔＴ＋（２５０１＋１．８０５ＯＴ）×（ＩＸ−ＯＸ）・・・（式Ｄ）
が導かれる。そして、式Ｄに式Ｃを代入すると、
（０．２７７８×Ｑ×ρ／ＣＯＰ）×｛（１．００６＋１．８０５ＩＸ）ΔＴ＋（２５０１＋１．８０５ＯＴ）×（ＩＸ−ＯＸ）｝−ΔＶＥ＞０
となり、これを展開すると、
（０．２７７８×Ｑ×ρ／ＣＯＰ）×（１．００６＋１．８０５ＩＸ）ΔＴ＞ΔＶＥ−（０．２７７８×Ｑ×ρ／ＣＯＰ）×（２５０１＋１．８０５ＯＴ）×（ＩＸ−ＯＸ）
となって、これより式Ａが導かれる。なお、定数１．００６は乾き空気の定圧比熱［ｋＪ／ｋｇ］、定数２５０１は０℃の水の蒸発潜熱［ｋＪ／ｋｇ］、定数１．８０５は水蒸気の定圧比熱［ｋＪ／ｋｇ］、０．２７７８は［Ｗ］の単位に換算するための定数である。
【００４８】
（１−４−３）判定部１４
判定部１４は、所定の記憶領域に外気冷房可否判定テーブル（図６を参照）および外気暖房可否判定テーブル（図７を参照）を保持しており、各テーブルを制御モードに応じて選択し、これに基づいて外気冷房または外気暖房の可否を判定する。
【００４９】
具体的には、判定部１４は、空調機２が冷房モードで運転している場合には外気冷房可否判定テーブルを選択し、設定温度ＳＰおよび基準値ＳＶのいずれもが室内温度ＩＴ未満の時には、外気冷房を開始または継続すると判定し、設定温度ＳＰおよび基準値ＳＶのいずれか一方または双方が室内温度ＩＴ以上の時には、外気冷房をしないまたは終了すると判定する。
【００５０】
また、判定部１４は、空調機２が暖房モードで運転している場合には外気暖房可否判定テーブルを選択し、設定温度ＳＰおよび基準値ＳＶのいずれもが室内温度ＩＴよりも高いときには、外気暖房を開始または継続すると判定し、設定温度ＳＰおよび基準値ＳＶのいずれか一方または双方が室内温度ＩＴ以下のときには、外気暖房をしないまたは終了すると判定する。
【００５１】
そして、判定部１４は、上記判定結果を制御部１５へ適宜出力する。
【００５２】
（１−４−４）制御部１５
制御部１５は、判定部１４の判定結果に基づいて制御指令を生成し、空調機２および換気装置３に送信する。具体的には、制御部１５は、判定部１４が外気冷房若しくは外気暖房を開始すると判断した場合には、空調機２を待機モードに切り替えるとともに換気装置３を普通換気モードに切り替える制御指令を生成する。また、制御部１５は、判定部１４が外気冷房若しくは外気暖房を終了すると判断した場合には、空調機２を冷房モード若しくは暖房モードに切り替えるとともに換気装置３を熱交換換気モードに切り替える制御指令を生成する。そして、制御部１５は、生成した指令をインターフェース１１を介して空調機２および換気装置３へと送信する。また、制御部１５は、上記制御指令を生成するのとともに、ユーザーに表示する表示情報を生成して表示部１６に出力する。
【００５３】
（１−４−５）表示部１６
表示部１６は、液晶ディスプレイを有しており、制御部１５から出力される表示情報を表示している（図示省略）。例えば、表示部１６は、外気冷房または外気暖房の実行時には、その旨を表示情報として液晶ディスプレイに表示する。
【００５４】
（２）コントローラ１０の処理の流れ
以下、図８および図９を参照して、コントローラ１０の処理の流れの例を、外気冷房モード時と外気暖房モード時とに分けて説明する。図８は、外気冷房モード時におけるコントローラ１０の処理の流れを示すフローチャートである。図９は、外気暖房モード時におけるコントローラ１０の処理の流れを示すフローチャートである。なお、以下は処理の一例であって、コントローラ１０は、これと異なる流れの処理を実行してもよい。
【００５５】
（２−１）外気冷房モード時の処理の流れ
空調機２が冷房モードで運転している場合においては、コントローラ１０は、外気冷房モードを選択して図８に示すような流れの処理を行う。すなわち、まず空調機２が冷房モードで運転を開始したことが通信線１０ａを介してコントローラ１０に送信されると、ステップＳ１０１において取得部１２が各種の情報を取得する。具体的には、取得部１２は、空調機２から設定温度ＳＰの情報を取得し、換気装置３から設定風量Ｑの情報を取得し、温度センサ４から外気温度ＯＴおよび室内温度ＩＴの情報を取得し、湿度センサ５から外気湿度ＯＸおよび室内湿度ＩＸの情報を取得して、これらの各情報を所定の記憶領域においてそれぞれ保持する。
【００５６】
次に、ステップＳ１０２において、演算部１３が補正値ΔＴおよび基準値ＳＶを算出する。
【００５７】
そして、ステップＳ１０３からステップＳ１０５において、判定部１４が所定の事項を判定する。具体的には、ステップＳ１０３において、外気冷房が実行されていないことが判定され、判定がＹｅｓである場合（すなわち外気冷房が実行されていない場合）、ステップＳ１０４に進み、空調機２の設定温度ＳＰが室内温度ＩＴよりも低いか否かが判定される。
【００５８】
次に、ステップＳ１０４における判定がＹｅｓである場合（すなわち設定温度ＳＰが室内温度ＩＴ未満の場合）、ステップＳ１０５に進み、基準値ＳＶが室内温度ＩＴよりも低いか否かが判定される。
【００５９】
そして、ステップＳ１０５における判定がＹｅｓである場合（すなわち基準値ＳＶが室内温度ＩＴ未満の場合）、ステップＳ１０６に進み、外気冷房を開始する。具体的には、制御部１５により、空調機２を冷房モードから待機モードへ切り替える指令が生成されて空調機２へと送信されるとともに、換気装置３を熱交換換気モードから普通換気モードへ切り替える指令が生成されて当該指令が換気装置３へと送信される。以上の処理が行われた後、ステップＳ１０１へと戻る。
【００６０】
また、ステップＳ１０３において判定がＮｏである場合（すなわち外気冷房が実行中の場合）は、ステップＳ１０７に進み、設定温度ＳＰが室内温度ＩＴよりも低いか否かが判定部１４によって判定される。次にステップＳ１０７における判定がＹｅｓの場合（すなわち設定温度ＳＰが室内温度ＩＴ未満の場合）、ステップＳ１０８に進み、基準値ＳＶが室内温度ＩＴよりも低いか否かが判定部１４により判定される。そして、ステップＳ１０８における判定がＹｅｓである場合（すなわち基準値ＳＶが室内温度ＩＴ未満の場合）は、外気冷房を継続し、ステップＳ１０１へと戻る。
【００６１】
また、ステップＳ１０７における判定がＮｏであった場合（すなわち設定温度ＳＰが室内温度ＩＴ以上の場合）およびステップＳ１０８における判定がＮｏであった場合（すなわち基準値ＳＶが室内温度ＩＴ以上の場合）には、ステップＳ１０９に進み、外気冷房を終了する。具体的には、制御部１５によって、空調機２を待機モードから冷房モードへ切り替える指令が生成されて空調機２へと送信されるとともに、換気装置３を普通換気モードから熱交換換気モードへ切り替える指令が生成されて換気装置３へと送信される。そして、その後ステップＳ１０１へと戻る。
【００６２】
コントローラ１０は、空調機２が冷房モード（または待機モード）で稼動している間、上記処理を繰り返す。
【００６３】
（２−２）外気暖房モード時の処理の流れ
空調機２が暖房モードで運転している場合においては、コントローラ１０は、外気暖房モードを選択して図９に示すような流れの処理を行う。なお、ステップＳ２０１からステップＳ２０２における処理については外気冷房モードにおけるステップＳ１０１からステップＳ１０２と同様であるため、説明を省略する。
【００６４】
外気暖房モードでは、ステップＳ２０１からステップＳ２０２の処理を行った後、ステップＳ２０３からステップＳ２０５において、判定部１４が所定の事項を判定する。具体的には、ステップＳ２０３において、外気暖房が実行されていないことが判定され、判定がＹｅｓである場合（すなわち外気暖房が実行されていない場合）、ステップＳ２０４に進み、空調機２の設定温度ＳＰが室内温度ＩＴよりも高いか否かが判定される。
【００６５】
次に、ステップＳ２０４における判定がＹｅｓである場合（すなわち設定温度ＳＰが室内温度ＩＴよりも高い場合）、ステップＳ２０５に進み、基準値ＳＶが室内温度ＩＴよりも高いか否かが判定される。
【００６６】
そして、ステップＳ２０５における判定がＹｅｓである場合（すなわち基準値ＳＶが室内温度ＩＴよりも高い場合）、ステップＳ２０６に進み、外気暖房を開始する。具体的には、制御部１５により、空調機２を暖房モードから待機モードへ切り替える指令が生成されて空調機２へと送信されるとともに、換気装置３を熱交換換気モードから普通換気モードへ切り替える指令が生成されて換気装置３へと送信される。以上の処理が行われた後、ステップＳ２０１へ戻る。
【００６７】
また、ステップＳ２０３において判定がＮｏである場合（すなわち外気暖房が実行中の場合）は、ステップＳ２０７に進み、設定温度ＳＰが室内温度ＩＴよりも高いか否かが判定部１４によって判定される。次にステップＳ２０７における判定がＹｅｓの場合（すなわち設定温度ＳＰが室内温度ＩＴよりも高い場合）、ステップＳ２０８に進み、基準値ＳＶが室内温度ＩＴよりも高いか否かが判定部１４により判定される。そして、ステップＳ２０８における判定がＹｅｓである場合（すなわち基準値ＳＶが室内温度ＩＴよりも高い場合）は、外気暖房を継続し、ステップＳ２０１へ戻る。
【００６８】
また、ステップＳ２０７で判定がＮｏであった場合（すなわち設定温度ＳＰが室内温度ＩＴ以下の場合）およびステップＳ２０８で判定がＮｏであった場合（すなわち基準値ＳＶが室内温度ＩＴ以下の場合）には、ステップＳ２０９に進み、外気暖房を停止する。具体的には、制御部１５によって、空調機２を待機モードから暖房モードへ切り替える指令が制御部１５によって生成されて空調機２へと送信されるとともに、換気装置３を普通換気モードから熱交換換気モードへ切り替える指令が生成されて換気装置３へと送信される。そして、その後ステップＳ２０１へ戻る。
【００６９】
コントローラ１０は、空調機２が暖房モード（または待機モード）で稼動している間、上記処理を繰り返す。
【００７０】
（３）特徴
（３−１）
上記実施形態では、判定部１４は、外気温度ＯＴ、室内温度ＩＴ、設定温度ＳＰ、外気湿度ＯＸおよび室内湿度ＩＸが所定の条件を満たした場合において、空調機消費電力削減量ΔＡＥが換気装置消費電力量ΔＶＥよりも大きいときに、外気冷房または外気暖房を行うと判定している。これにより、外気冷房または外気暖房時における換気装置消費電力量ΔＶＥが空調機消費電力削減量ΔＡＥよりも大きくなることを抑制できている。
【００７１】
（３−２）
上記実施形態では、判定部１４は、外気温度ＯＴに補正値ΔＴを加えた値、室内温度ＩＴおよび設定温度ＳＰが所定の条件を満たした場合に、外気冷房または外気暖房を行うと判断している。これにより、外気冷房または外気暖房時における換気装置消費電力量ΔＶＥが空調機消費電力削減量ΔＡＥよりも大きくなることを高い精度で抑制できている。
【００７２】
（３−３）
上記実施形態では、演算部１３は、外気温度ＯＴ、室内温度ＩＴ、外気湿度ＯＸ、室内湿度ＩＸ、空調機消費電力削減量ΔＡＥおよび換気装置消費電力量ΔＶＥに基づいて補正値ΔＴを算出している。これにより、補正値ΔＴを精度よく算出でき、外気冷房または外気暖房時における換気装置消費電力量ΔＶＥが空調機消費電力削減量ΔＡＥよりも大きくなることを高い精度で抑制できている。
【００７３】
（３−４）
上記実施形態では、演算部１３は、室内空間ＳＩの熱負荷ＰＦＣと、空調機２のＣＯＰと、に基づいて空調機消費電力削減量ΔＡＥを算出している。これにより、空調機消費電力削減量ΔＡＥを精度よく算出でき、外気冷房または外気暖房時における換気装置消費電力量ΔＶＥが空調機消費電力削減量ΔＡＥよりも大きくなることを高い精度で抑制できている。
【００７４】
（３−５）
上記実施形態では、演算部１３は、外気ＯＡと室内空気ＩＡとの比エンタルピー差Δｈと、換気装置３の換気風量Ｑと、室内空気ＩＡの比重ρと、に基づいて室内空間ＳＩの熱負荷ＰＦＣを算出している。これにより、室内空間ＳＩの熱負荷ＰＦＣを精度よく算出でき、外気冷房または外気暖房時における換気装置消費電力量ΔＶＥが空調機消費電力削減量ΔＡＥよりも大きくなることを高い精度で抑制できている。
【００７５】
（４）変形例
（４−１）変形例１Ａ
上記実施形態では、空調システム１は、空調機２、換気装置３、温度センサ４および湿度センサ５を個別に有していたが、これに限定されない。例えば、温度センサ４および湿度センサ５は、換気装置３に組み込まれてもよい。また、換気装置３、室内温度センサ４ｂおよび室内湿度センサ５ｂは、室内機２１に組み込まれてもよい。また、室外温度センサ４ａおよび室外湿度センサ５ａは、室外機２２の中に組み込まれてもよい。また、空調機２、換気装置３、温度センサ４および湿度センサ５は、それぞれ複数あってもよい。
【００７６】
（４−２）変形例１Ｂ
上記実施形態では、換気装置３には、全熱交換器３１が配設されたが、これに限定されない。例えば、全熱交換器３１の代わりに顕熱交換機を用いてもよい。また換気装置３は、普通換気モードのみで運転し、全熱交換器３１を省略した構成としてもよい。
【００７７】
（４−３）変形例１Ｃ
上記実施形態では、コントローラ１０は、室内空間ＳＩ内に配設されたが、これに限定されない。例えば、コントローラ１０は、空調機２や換気装置３等の機器と無線ＬＡＮやインターネット等のネットワークで結ばれた遠隔地等に設置されてもよい。また、コントローラ１０は、空調機２や換気装置３の内部に組み込まれてもよい。
【００７８】
（４−４）変形例１Ｄ
上記実施形態では、コントローラ１０は、外気冷房モードおよび外気暖房モード等の制御モードを有していたが、これに限定されない。例えば外気冷房モードまたは外気暖房モードのいずれか一方を省略してもよい。
【００７９】
（４−５）変形例１Ｅ
上記実施形態では、演算部１３は式Ａ〜Ｅ等を保持し、判定部１４は判定テーブル等を保持していたが、これに限定されない。例えば、記憶部を別に設けて式Ａ〜Ｅや判定テーブル等を格納しておき、記憶部から適宜必要な情報を取り出す構成としてもよい。その場合、記憶部は、コントローラ１０とネットワークで結ばれた遠隔地等に設置されてもよい。
【００８０】
（４−６）変形例１Ｆ
上記実施形態では、外気湿度ＯＸおよび室内湿度ＩＸは、湿度センサ５から取得したが、これに限定されない。例えば、外気湿度ＯＸおよび室内湿度ＩＸについては、予め想定された数値を取得部１２が保持していてもよい。
【００８１】
（４−７）変形例１Ｇ
上記実施形態では、空調機２のＣＯＰおよび室内空気ＩＡの比重ρは、予め設定された数値が取得部１２によって保持されていたが、これに限定されない。例えば、一定周期ごとにこれらの値を演算部１３が算出してもよい。
【００８２】
（４−８）変形例１Ｈ
上記実施形態では、補正値ΔＴは各種の情報に基づいて算出されたが、これに限定されない。例えば、外気湿度ＯＸおよび室内湿度ＩＸについては考慮せずに外気温度ＯＴ、室内温度ＩＴ、換気装置消費電力量ΔＶＥおよび空調機消費電力削減量ΔＡＥに基づいて、補正値ΔＴを算出してもよい。
【００８３】
また、上記実施形態では、補正値ΔＴはリアルタイムに算出されたが、これに限定されない。例えば、シミュレーション等に基づいて予め設定された補正値ΔＴを、取得部１２または演算部１３が保持していてもよい。
【００８４】
また、上記実施形態においては、補正値ΔＴは、式Ａに基づいて算出されたが、これに代えて、以下の式Ｅに基づき簡易的に算出されてもよい。
ΔＴ＝ΔＶＥ×ＣＯＰ／（０．２７９５×（１＋１．７９４ＩＸ）×Ｑ×ρ）・・・（式Ｅ）
なお、この式Ｅは、ＯＸ≒ＩＸ、ＩＴ−ＯＴ＝ΔＴとして以下の式Ｆから導かれるものである。
ΔＡＥ＝（０．２７９５×（１＋１．７９４ＩＸ）×Ｑ×ρ／ＣＯＰ）×ΔＴ・・・（式Ｆ）
このような式Ｅを用いて補正値ΔＴを算出する場合には、外気湿度ＯＸを検出しなくてもよい。
【００８５】
（４−９）変形例１Ｉ
上記実施形態では、基準値ＳＶは、式Ｅに基づいて算出されたが、これに限定されない。例えば、基準値ＳＶについては、設定風量Ｑに加えて換気装置３内で発生する熱損失αなどを考慮した以下の式Ｇに基づいて算出してもよい。
ＳＶ＝ＯＴ＋ΔＴ＋α・・・（式Ｇ）
【００８６】
（４−１０）変形例１Ｊ
上記実施形態では、判定部１４は、基準値ＳＶ、設定温度ＳＰおよび室内温度ＩＴを用いて外気冷房または外気暖房の可否を判定していたが、これに限定されず、空調機消費電力削減量ΔＡＥおよび換気装置消費電力量ΔＶＥを用いて当該判定を行ってもよい。例えば、空調機消費電力削減量ΔＡＥと換気装置消費電力量ΔＶＥとを比較して、空調機消費電力削減量ΔＡＥが換気装置消費電力量ΔＶＥよりも大きい場合に外気冷房または外気暖房を実行するような判定をしてもよい。
【００８７】
（４−１１）変形例１Ｋ
上記実施形態では、コントローラ１０には表示部１６が設けられたが、表示部１６については省略してもよい。
【産業上の利用可能性】
【００８８】
本発明は、換気装置のコントローラに利用可能である。
【符号の説明】
【００８９】
１              空調システム
２              空調機
３              換気装置
３０            ケーシング
３０ａ          導入口
３０ｂ          給気口
３０ｃ          還気口
３０ｄ          排気口
３１            全熱交換器
３４            ダンパ
３７            給気流路
３８ａ          第１排気流路
３８ｂ          第２排気流路
４              温度センサ
５              湿度センサ
１０            コントローラ
１０ａ          通信線
１１            インターフェース
１２            取得部
１３            演算部
１４            判定部
１５            制御部
１６            表示部
ＳＯ            室外空間
ＳＩ            室内空間
【先行技術文献】
【特許文献】
【００９０】
【特許文献１】特開平９−１７８２４２号公報
【特許文献２】特開２０１１−２１８８１号公報
【図１】
2014070827.tif 000003
【図２】
2014070827.tif 000004
【図３】
2014070827.tif 000005
【図４】
2014070827.tif 000006
【図５】
2014070827.tif 000007
【図６】
2014070827.tif 000008
【図７】
2014070827.tif 000009
【図８】
2014070827.tif 000010
【図９】
2014070827.tif 000011